(57)【要約】      （修正有）【課題】扉面から突出した取っ手を有しない扉についても使用することができると共に、扉に極めて容易に取り付けることができるようにした扉の開放防止具を提供する。【解決手段】二つの固定体１、３と、当該二つの固定体１、３を係脱自在に連結する連結体５とよりなり、各固定体１、３は、それぞれ表面に面ファスナーの係合面７を備えると共に裏面に粘着層を備え、連結体５は、一面に該係合面７に対応する面ファスナーの対応係合面を備えていることを特徴とする。【選択図】図１
0003169693.tif 000002
【実用新案登録請求の範囲】
【請求項１】
二つの固定体と、当該二つの固定体を係脱自在に連結する連結体とよりなり、
各固定体は、それぞれ表面に面ファスナーの係合面を備えると共に裏面に粘着層を備え、
該連結体は、一面に該係合面に対応する面ファスナーの対応係合面を備えていることを特徴とする扉の開放防止具。
【考案の詳細な説明】
【技術分野】
【０００１】
本考案は、扉の開放防止具に関するものであり、更に詳しくは、本棚、戸棚、食器棚、タンス、キャビネット等の収納手段に取り付けられている扉が地震等の振動により開くことを防止するための扉の開放防止具に係るものである。
【背景技術】
【０００２】
収納手段に取り付けられている扉は、一般に、該扉を閉じた位置に保持するためのマグネット等の保持手段を備えている。しかるに、地震等の振動により該保持手段がその保持力よりも大きな力を受けたときには、該扉が開放する。しかるときは、収納手段に収納されていた書籍、食器等の被収納物が落下するおそれがある。このように被収納物が落下すると、単に該被収納物自体が損傷するのみにとどまらず、落下する被収納物が人に衝突して人に怪我を負わせ、更には落下した被収納物が床上等に散乱して人が当該建物から逃げ出す際の妨げとなる等の問題が生ずる。
【０００３】
このような問題を解決するために、実開平６−６７７５８号公報は、布テープにおける一端の表面と他端の裏面とに相対応する面ファスナーの係合面を備えさせ、両開き扉における一対の取っ手にこれらの係合面を相互に係合させることにより該布テープをループ状に巻きかけるようにしてなる開扉防止バンド（以下「従来の開扉防止バンド」という。）を提供している。
【先行技術文献】
【特許文献】
【０００４】
【特許文献１】実開平６−６７７５８号公報
【考案の概要】
【考案が解決しようとする課題】
【０００５】
しかるに、上記従来の開扉防止バンドにおいては、該開扉防止バンドを一対の取っ手にループ状に巻きかけるようにしているため、各扉面が突出した取っ手を備えていることが必要である。すなわち、従来の開扉防止バンドは、各扉面から突出した取っ手を有しない扉については使用することができないのである。
【０００６】
また、上記従来の開扉防止バンドにおいては、該開扉防止バンドを一対の取っ手にループ状に巻きかける作業が面倒であるという問題もある。
【０００７】
本考案は、上記従来の開扉防止バンドにおける上述の如き問題を解決し、扉面から突出した取っ手を有しない扉についても使用することができると共に、扉に極めて容易に取り付けることができるようにした扉の開放防止具を提供しようとしてなされたものである。
【課題を解決するための手段】
【０００８】
上記課題を解決するために、本考案は、下記の扉の開放防止具を提供するものである。
【０００９】
二つの固定体と、当該二つの固定体を係脱自在に連結する連結体とよりなり、
各固定体は、それぞれ表面に面ファスナーの係合面を備えると共に裏面に粘着層を備え、
該連結体は、一面に該係合面に対応する面ファスナーの対応係合面を備えていることを特徴とする扉の開放防止具。
【００１０】
本考案における「扉」は、両開き扉（観音開き扉）、片開き扉及び引き扉を含むものとする。
【考案の効果】
【００１１】
本考案においては、一方の固定体を、その粘着層により、扉の縁部に取り付け、他方の固定体を、その粘着層により、該扉に対応する扉又は非可動体に取り付ける。しかるときは、各固定体は面ファスナーの係合面が表面に露出した状態となる。
【００１２】
扉が地震等の振動により開くことを防止する際には、各固定体を連結体により係脱自在に連結する。すなわち、連結体における面ファスナーの対応係合面を各固定体の面ファスナーの係合面に押し付けて係合させるのである。この作業は極めて容易である。
【００１３】
この状態においては、扉の縁部と該扉に対応する扉又は非可動体とに取り付けられた二つの固定体は連結体を介して連結されるため、該扉が地震等の振動により開くことが防止される。
【００１４】
このように、本考案による扉の開放防止具は、扉面から突出した取っ手を有しない扉についても使用することができると共に、扉に極めて容易に取り付けることができる。
【００１５】
なお、開扉する際には、連結体を少なくとも一方の固定体からはぎ取ればよい。  
【図面の簡単な説明】
【００１６】
【図１】図１は、本考案による扉の開放防止具の一例の使用状態を示す斜視図である。
【図２】図２は、同上扉の開放防止具の使用状態を示す平面図である。
【図３】図３は、本考案による扉の開放防止具の別の一例の使用状態を示す平面図である。
【図４】図４は、本考案による扉の開放防止具の更に別の一例の使用状態を示す正面図である。
【考案を実施するための形態】
【００１７】
本考案による扉の開放防止具は、二つの固定体１、３と、当該二つの固定体１、３を係脱自在に連結する連結体５とよりなる。
【００１８】
各固定体１、３は、それぞれ表面に面ファスナーの係合面７を備えると共に裏面に粘着層９を備える。
【００１９】
すなわち、一例として、各固定体１、３は、それぞれポリプロピレンフィルム１１の表面に面ファスナーのフック部７ａを該ポリプロピレンフィルム１１と一体的に形成すると共に、該ポリプロピレンフィルム１１の裏面にポリウレタン系粘着剤ないしアクリル系粘着剤の粘着層９を備えさせてなるものである。なお、粘着層９は、剥離した後、再使用が可能である。
【００２０】
図示の事例における各固定体１、３は、正方形状の平面形状を備えているが、各固定体１、３の平面形状は、長方形状、円形状、楕円形状等いかなるものであってもよい。
【００２１】
連結体５は、一面に各固定体１、３の面ファスナーの係合面７に対応する面ファスナーの対応係合面１３を備えている。
【００２２】
すなわち、連結体５は、一例として、ポリエチレン等のプラスチック板１５の一面にポリエステル又はナイロンにより形成された面ファスナーのループ部１３ａを備えさせてなるものである。
【００２３】
連結体５の他面に適宜の印刷を施してもよい。なお、図示の事例における連結体５は、長方形状の平面形状を備えているが、連結体５の平面形状はいかなるものであってもよい。
【００２４】
図１、図２は、本考案による扉の開放防止具を両開き扉に使用している状態を示す。すなわち、同図における両開き扉は、扉２１、２３により形成され、各固定体１、３はそれぞれ扉２１、２３に取り付けられる。符号２５、２７に示すものは扉２１、２３の取っ手である。
【００２５】
図３は、本考案による扉の開放防止具を片開き扉に使用している状態を示す。符号２９に示すものは片開きの扉である。固定体１は、収納手段３１における非可動体３３たる枠部に取り付けられ、固定体３は、扉２９の縁部に取り付けられる。符号３５に示すものは、扉２９に備えさせた取っ手である。
【００２６】
図４は、本考案による扉の開放防止具を引き扉に使用している状態を示す。符号３７に示すものは引き扉である。固定体１は、収納手段３９における非可動体４１たる枠部に取り付けられ、固定体３は、扉３７の縁部に取り付けられる。符号４３に示すものは、扉３７に備えさせた取っ手であり、符号４５に示すものは、収納手段３９の天板である。
【符号の説明】
【００２７】
１  固定体
３  固定体
５  連結体
７  面ファスナーの係合面
７ａ  面ファスナーのフック部
９  粘着層
１１  ポリプロピレンフィルム
１３  面ファスナーの対応係合面
１３ａ  面ファスナーのループ部
１５  プラスチック板
２１  扉
２３  扉
２５  取っ手
２７  取っ手
２９  扉
３１  収納手段
３３  非可動体
３５  取っ手
３７  引き扉
３９  収納手段
４１  非可動体
４３  取っ手
４５  天板
【図１】
0003169693.tif 000003
【図２】
0003169693.tif 000004
【図３】
0003169693.tif 000005
【図４】
0003169693.tif 000006